(57)【要約】【課題】小便器周りの床面に残留する尿等を解消する装置において、施工性を良好にするとともに、小便器周りに清浄な空気を保持する技術を提供する。【解決手段】小便器の下方に配置される汚水受け装置であって、小便器から落下する汚水を受ける、孔部２１を有する目皿部２０と、目皿部２０より下流に配置され、汚水を貯留する貯留部３と、目皿部２０と貯留部３との間の空所に連通し、空気を吸引する吸引部４５と、を備える。【選択図】  図１
2004321474.tif 000002
【特許請求の範囲】
【請求項１】
小便器の下方に配置される汚水受け装置であって、
小便器から落下する汚水を受ける、孔部を有する目皿部と、
前記目皿部より下流に配置され、汚水を貯留する貯留部と、
前記目皿部と貯留部との間の空所に連通し、空気を吸引する吸引部と、
を備える汚水受け装置。
【請求項２】
オゾンガスを生成するオゾン生成装置と、
前記オゾン生成装置にて生成したオゾン含有ガスを前記目皿部の表面側に供給するガス供給部と、を備える請求項１記載の汚水受け装置。
【請求項３】
前記ガス供給部は、前記吸引部にて吸引した空気と前記オゾン生成装置にて生成したオゾンガスを混合し、目皿部の表面側に還流する請求項２記載の汚水受け装置。
【請求項４】
前記貯留部は、目皿部を経て流下した汚水を吸水する吸水体を備える請求項１〜３のいずれかに記載の汚水受け装置。
【発明の詳細な説明】
【０００１】
【発明の属する技術分野】
本発明は、小便器周りの衛生技術に関する。
【０００２】
【従来の技術】
壁掛け式の小便器の場合、小便器本体が床面から所定高さ位置に取り付けられており、小便器本体の前端部（顎部）からこぼれ落ちた尿等の汚水や使用者が垂れこぼした尿等が床面に残留し、悪臭を発生し易いという問題がある。また、床面に残留した尿等は、美感上も甚だ不都合である。
【０００３】
このような小便器周りの衛生問題を解決するために、本出願人は先に、小便器本体の下部又は前部における床面上に、小便器本体からこぼれ落ちた尿等を受けて排出する垂れ受皿を設け、この垂れ受皿の汚水を放水管からの洗浄水により洗い流すようにした水洗式小便器を提案した（特許文献１）。
【０００４】
【特許文献１】
特開平６−２６０９０号公報
【０００５】
【発明が解決しようとする課題】
本発明者は、小便器周りの衛生技術に関して鋭意研究の結果、床面に残留する尿等を解消する装置について、施工性をさらに良好にする点、また、小便器周りに清浄な空気を保持する点で、改良すべき点を見いだした。
【０００６】
本発明は、小便器周りの床面に残留する尿等を解消する装置において、施工性を良好にすることを課題とする。また、小便器周りに清浄な空気を保持する技術を提供することを課題とする。さらに、小便器周りの床面に残留する尿等を解消する装置を、メンテナンスのし易い装置として提供することを課題とする。
【０００７】
【課題を解決するための手段】
本発明は前記課題を解決するために、以下の手段を採用した。
本発明は、小便器の下方に配置される汚水受け装置であって、小便器から落下する汚水を受ける、孔部を有する目皿部と、前記目皿部より下流に配置され、汚水を貯留する貯留部と、前記目皿部と貯留部との間の空所に連通し、空気を吸引する吸引部と、を備える。
【０００８】
また、本発明は、オゾンガスを生成するオゾン生成装置と、前記オゾン生成装置にて生成したオゾン含有ガスを前記目皿部の表面側に供給するガス供給部と、を備えることができる。
前記ガス供給部は、前記吸引部にて吸引した空気と前記オゾン生成装置にて生成したオゾンガスを混合し、目皿部の表面側に還流するよう構成することができる。
【０００９】
さらに、前記貯留部は、目皿部を経て流下した汚水を吸水する吸水体を備えることができる。
【００１０】
【発明の実施の形態】
以下、本発明の実施の形態を図１〜図１０の図面に基づいて説明する。
図１は、本発明の実施の形態に係る汚水受け装置１全体を表す一部断面とした平面図である。汚水受け装置１は、全体として四角形のプレート状に形成されており、使用者の左足を支持する左足載せ台１２と、右足を載せる右足載せ台１３と、左足載せ台１２と右足載せ台１３との間に配置された汚水受け部（２０）と、装置の前部に形成された空調部１０と、から構成されている。
【００１１】
前記左足載せ台１２及び右足載せ台１３は、合成石材に抗菌剤を練り込んだ材質にて長方形の平板として形成されており、ステンレススチール製の底部５上に据え付けられている。
【００１２】
前記汚水受け部は、小便器から落下する汚水を直接受ける目皿部２０と、この目皿部２０の下方（下流）に形成され、目皿部２０から滴下する汚水を貯留する貯留部３とを有している。
【００１３】
目皿部２０は、図８及び図９に示すように、複数の山部２４、谷部２３、並びに山部２４と谷部２３間に位置する傾斜部２２とから構成されており、点在する孔２１によって、目皿部２０の表裏側が連通している。また、目皿部２０の後部には、前記山部２４及び谷部２３の一部を覆う目皿カバー２５が設けられている。目皿部２０は、前記目皿カバー２５に器具等をかけることにより、容易に取り外せるようになっている。
【００１４】
貯留部３は、前記底部５と一体に形成された凹部であるが、この貯留部３内は、図１０に示すように、吸水体７０を収納できるようになっている。吸水体７０は、例えば粉粒状の水膨潤性架橋ポリマー（吸水性樹脂）を備えており、目皿部２０から滴下した尿等を吸収保持する。なお、吸水体７０は、貯留部３に着脱可能である。
【００１５】
空調部１０は、前記目皿部２０と貯留部３間の空気を吸引し、この吸引した空気とオゾン含有ガスを混合し、さらに足載せ台１２，１３上に還流するものである。空調部１０は、汚水受け装置１の前部において横方向に位置する本体カバー４０を備えると共に、中央部において目皿部２０側に張り出した張出カバー３０を備えている。
【００１６】
前記張出カバー３０内には、本体カバー４０内に亘って、吸引ファン４５と、吸引ファン４５を駆動するモータ４６と、オゾン含有ガスを生成するオゾン生成装置４３とが収納されている。吸引ファン４５は、図５に示すように、ファンが回転することにより、貯留部３側の空気を、通路３３から張出カバー３０内の室６１を通し、吸引ファン４５の排出口４５ａを経て室６３側に流すものである。すなわち、張出カバー３０側の室６１と、本体カバー４０側の室６３とは、吸引ファン４５を介在して遮断されている。なお、張出カバー３０の先端部（目皿部寄り）には、段部３１が形成されており、目皿部２０の前端を支持するようになっている。
【００１７】
オゾンガス生成装置４３は、例えば、高圧電極と接地電極との間に誘電体を介在させて、両電極間に電圧を印可させ無声放電等を発生させ、放電空間内に酸素ガスを通過させてオゾンを発生させるものである。
そして、オゾンガス生成装置４３により生成されたオゾンガスは、室６３内にて貯留部３側から吸引された空気と混合され、本体カバー４０と足載せ台１２、１３間の間隙から、左足載せ台１２及び右足載せ台１３の前部に放出されるものである。
【００１８】
また、汚水受け装置１の後端部には、ステンレススチール製の後部枠体７が設けられている。この後部枠体７の中央部には、穴９が設けられており、目皿カバー２５の下方位置において、目皿部２０上のスペースに臨んでいる。
【００１９】
次に、汚水受け装置１の使用状態について説明する。
汚水受け装置１は、使用にあたっては、図２に示すように、壁に設置された小便器５０の下方に載置する。この際、小便器５０の前端部の真下に、目皿部２０が位置するように設置する。小便器５０や使用者から落下した尿等の汚水は、目皿部２０上で直接受け、目皿部２０で受けた汚水は、孔部２１から貯留部３内に流下する。貯留部３では、吸水体７０によって汚水を吸水し、保持する。
【００２０】
また、前記目皿部２０にて受けた汚水は、吸引ファン４５の作用によって、目皿部２０上の空気が吸引されているので、貯留部３側に滴下すると共に、目皿部２０上に広がった汚水も速く乾燥され、目皿部２０上に汚水が残留することは極力防止できる。
なお、目皿部２０を貯留部３上に取り付けた際、吸水体７０を収納した状態であっても、山部２３の下方には充分空間が形成されることとなるので、吸引ファン４５による空気の流れは良好に形成される。
【００２１】
そして、吸引ファン４５は、目皿部２０上の空気を吸引すると共に、貯留部３内の空気の漏洩（逆流）を防止して、オゾン生成装置４３により生成されたオゾンガスを含んだガスを足載せ台１２、１３上に供給する。すなわち、吸引ファン４５により吸引された空気は、オゾンガスと混合することにより清浄され、汚水受け装置１上に還流されることとなる。
【００２２】
さらに、装置の清掃に際しては、清掃者（管理者）が目皿部２０を汚水受け装置１から取り外し、貯留部３に収納されている汚水を吸収した吸水体７０を、新たな吸水体７０に交換する。
また、小便器５０を清掃する際は、ホースを利用して水道水を多量にかけることも想定されるが、目皿部２０上に多量に落下した洗浄水は、孔２１から滴下する前に、ほとんどの洗浄水が、目皿部２０の後部から後部枠体７の穴部９を通して外部（床上）に排水される。このため、貯留部３内に洗浄水が多量に貯まることはない。
【００２３】
なお、モータ４６及びオゾン生成装置４３の電源は、商用電源を利用してもよいし、又は、汚水受け装置にバッテリーを搭載してもよい。
以上のように本実施の形態の汚水受け装置は、持ち運びの可能な装置を、既存の小便器の下方に載置するのみで施工が完了する。
【００２４】
【発明の効果】
本発明によれば、小便器周りの床面に残留する尿等を解消する装置において、施工性を良好にすることが可能となる。また、小便器周りに清浄な空気を保持することができる。さらに、小便器周りの床面に残留する尿等を解消する装置を、メンテナンスのし易い装置として提供することができる。
【図面の簡単な説明】
【図１】本発明の一実施形態における汚水受け装置の一部断面とした平面図
【図２】実施形態における汚水受け装置を小便器下方に設置した状態を示す図であり、図１のＡ−Ａ線における断面図
【図３】実施形態における汚水受け装置を小便器下方に設置した状態を示す図であり、図１のＢ−Ｂ線における断面図
【図４】実施形態における汚水受け装置を一部断面とした横側面図
【図５】実施形態における汚水受け装置の要部の側断面図
【図６】実施形態における汚水受け装置の要部の平断面図
【図７】実施形態における汚水受け装置の要部の横断面図
【図８】実施形態における汚水受け装置の目皿部の平面図
【図９】実施形態における汚水受け装置の目皿部の横断面図
【図１０】実施形態における汚水受け装置の目皿部を取り外した状態を示す、一部断面とした平面図
【符号の説明】
１    汚水受け装置
３    貯留部
７    後部枠体
９    穴
１０  空調部
１２  左足載せ台
１３  右足載せ台
２０  目皿部
４３  オゾン生成装置
４５  吸引ファン（吸引部、ガス供給部）
２１  孔部
【図１】
2004321474.tif 000003
【図２】
2004321474.tif 000004
【図３】
2004321474.tif 000005
【図４】
2004321474.tif 000006
【図５】
2004321474.tif 000007
【図６】
2004321474.tif 000008
【図７】
2004321474.tif 000009
【図８】
2004321474.tif 000010
【図９】
2004321474.tif 000011
【図１０】
2004321474.tif 000012